(57)【特許請求の範囲】
【請求項１】
本体部（４）および前記本体部（４）上にプレス嵌めされる蓋（６）から成るディスク形容器（２）において、
前記本体部（４）はベース（８）、周側壁（１０）、および前記周側壁の外面（１４）に周囲方向に延びた溝（１２）を有し、
前記蓋（６）は上部（１６）および周側壁（１８）を有し、
前記容器（２）は前記蓋（６）が前記本体部（４）上にあるときに前記蓋の周側壁（１８）が前記本体部（４）の周側壁（１０）上に重なるようになっていて、
前記本体部（４）および前記蓋（６）は、前記蓋（６）を摺動運動により前記本体部（４）から分離するために、前記蓋（６）の周側壁（１８）を前記本体部（４）の周側壁（１０）の外面（１４）の溝（１２）へ向けて押圧できるように共にプラスチック材料で形成され、
前記本体部（４）は蓋係合部（４８）を有し、
前記蓋（６）はそれに隣接して内方へ突出する本体部係合部（５０）を有し、
前記蓋係合部（４８）と前記本体部係合部（５０）は共働して前記蓋を閉鎖位置に維持し、
前記溝（１２）は一対の側部（２０，２２）を有し、かつ前記本体部のベース（８）に近い前記溝の側部（２０）は前記蓋（６）の周側壁（１８）と係合すると共に、前記蓋（６）の周側壁（１８）が前記溝（１２）へ向けて押圧されるときに前記蓋を付勢して前記本体部（６）から分離させる凹形側面（２０）であり、かつ
前記本体部（４）は前記溝の凹形側面（２０）へ達する形成部（２４）を有し、この形成部は凸形成形部を有し、かつ前記本体部（４）からの前記蓋（６）の初期分離運動を促進する働きをすることを特徴とするディスク形容器。
【請求項２】
前記蓋（６）の周側壁（１８）は初期分離運動時に前記凸形成形部（２４）上を摺動するビード部（２６）を有し、前記ビード部（２６）は前記蓋（６）の周側壁（１８）の隣接部分（２８）よりも厚みのあるものである、請求項１の容器。
【請求項３】
前記蓋（６）の上部（１６）および周側壁（１８）は、その周側壁（１８）が前記溝（１２）へ押圧されるときに僅かに楕円形を形成できる厚さに形成されていて、それにより前記蓋（６）と前記本体部（４）との間の接触領域を小さくし、かつそれにより前記蓋（６）と前記本体部（４）との間の摩擦を小さくして前記蓋（６）の前記本体部（４）からの取り外しを促進するものである、請求項１または２の容器。
【請求項４】
前記本体部（４）の周側壁（１０）は前記ベース（８）から遠方の端部に内側へ傾斜した外面部（３０）を有し、前記蓋（６）の周側壁（１８）はその２端部間に傾斜部（３２）を有し、かつ前記本体部（４）の周側壁（１０）の内側へ傾斜した外面部（３０）と前記蓋（６）の周側壁（１８）の傾斜部（３２）は、前記蓋（６）の周側壁（１８）が前記溝（１２）へ完全に押圧されるときに相互に係合し、かつ前記蓋（６）の周側壁（１８）を前記溝（１２）へ押圧する指圧が解除されるときに前記蓋（６）が連続的に摺動して前記本体部（４）から分離するように構成されている、請求項１から３のいずれか１の容器。
【請求項５】
前記蓋（６）は、前記容器（２）が閉鎖されるときに、前記ベース（８）から遠方の前記本体部（４）の周側壁（１０）の端部の内面（３６）に隣接して位置決めされる傾斜ショルダ部（３４）を有し、この傾斜ショルダ部（３４）は前記本体部（４）の周側壁（１０）の前記端部上にある容器（２）の収容物を強制的に前記本体部（４）内へ戻す作用をするように構成されている、請求項１から４のいずれか１の容器。
【請求項６】
前記本体部（４）のベース（８）はその外面内に単一の溝（４０）を有する、請求項１から５のいずれか１の容器。
【請求項７】
前記本体部（４）の周側壁（１０）は少なくとも１つの周囲方向へ延在するリブ（４３）を具有する内面（４４）を有する、請求項１から６のいずれか１の容器。
【請求項８】
前記蓋（６）および前記本体部（４）の少なくとも一方は、容器（２）を閉鎖するときに、前記本体部（４）の密閉を阻止する形成部を有する、請求項１から７のいずれか１の容器。
【発明の詳細な説明】
本発明はディスク形容器に関する。
ディスク形容器は周知である。周知のディスク形容器の一例として異なるタイプの履物用靴磨き剤を入れる靴磨き容器がある。この周知ディスク形容器は、概ね、靴磨きに加え、例えば、ハンドバックまたは家具磨き、または顔または手に使用する化粧クリーム、頭髪ジェル、歯磨きペースト粉または医薬を入れることのできる適宜かつ適切な材料を含む。ディスク形であることに加えて、周知容器は人の手に持つことができるように構成され、かつ本体部と蓋を有する。蓋は、通常、本体部上へプレス嵌めされる。蓋は、通常、捩じるか引っ張るかにより、または本体部から蓋を強制的に分離させる蓋係合装置を回転させることにより本体部から除去する。
周知ディスク形容器は伝統的に金属製であり、容器の製造方法は年々技術的に改良され、進歩してきているが、容器の製造方法のみならず適当な広告材料および表示の容器への印刷に関しては未だ充分簡略化されていない。
本発明の目的は上述の問題を軽減することにある。
従って、本発明は本体部および該本体部上にプレス嵌めされる蓋から成るディスク形容器を提供する。この本体部はベース、周側壁、および該周側壁の外面内の溝を含む。前記蓋は上部および周側壁を有する。前記容器は、前記蓋を前記本体部上へ載置したときに前記蓋の周側壁が前記本体部の周側壁上に重なるように構成されている。更に、前記本体部および前記蓋の両者はプラスチック材料で形成されて、滑り運動により前記蓋を前記本体部から分離するために、前記蓋の周側壁が前記本体部の周側壁の外面内の溝へプレスできるようになっている。
本発明のディスク形容器の形成にプラスチック材料を使用することは錫等の金属の加工では採用できないプラスチック成形技術の製造業者による利用を可能にする。プラスチック材料は適宜の宣伝設計を受けるためのエンボス加工を可能にする。この容器は蓋の上部および周側壁、ならびに本体部のベースをフラットな外面により製造できることにより、ディスク形容器への直接印刷およびラベルの貼付またはそのいずれか一方が可能になる。印刷、例えば、本体部のベースおよび蓋の上部上へ印刷するパッドプリンタ、および蓋および本体部またはそのいずれか一方の周側壁上へ印刷する回転プリンタによる印刷を可能になる。
本発明のディスク形容器は錫で形成する既存のディスク形容器と同一寸法で製造できるので、製造業者による包装の変更の必要はない。新型ディスク形容器の購入または使用に対する一般購入者のいかなる抵抗をも軽減するために、本発明のディスク形容器は錫製の既存ディスク形容器とできる限り類似の外観に形成することができる。
本発明の容器の本体部からの蓋の除去は単に蓋の周側壁上を押圧することにより達成さる。蓋の周側壁を押圧する人は本体部の周側壁内に溝を感じることができる。ディスク形容器の使用者は、蓋の除去が完全に自分のコントロール下で行えることを常時実感する。このことは、本発明のディスク形容器のごとく制御可能な方法ではなく、分離するために強い力を加えなければならずかつ蓋が突然に本体部から分離する従来の錫製ディスク形容器では不可能なことである。本発明のディスク形容器によれば、蓋から本体部を分離させるために、蓋の周側壁上に単なるプレス運動または解放運動を加えればよい。例えば、使用者は一方の手で蓋を保持しながら他方の手で抑える。
好ましくは、本発明の容器において、前記溝は一対の側部を有し、かつ本体部のベースに最も近い溝の側部は蓋の周側壁と係合しかつ蓋の周側壁をその溝へ押圧するときに本体部から離れるように蓋を付勢する凹形側部を形成している。
本発明の容器が前記凹形側部を有する溝を具有する場合、かかる容器において、本体部は溝の該凹形側部へ通じかつ本体部からの蓋の初期分離運動を促進する形成部を有し、この形成部は凸形成形部であるのが好ましい。
本発明の蓋の周側壁は初期分離運動時に前記形成部上をスライドするビード部を有しいてよく、このビード部は蓋の周側壁の隣接部分よりも厚みのあるものである。かかる蓋の構成は相対的に薄い周側壁の採用を可能にし、それにより前記ビード部が蓋の形態維持を助ける。他の構成において、蓋の周側壁はそのカバー部から遠方に半径方向の端部を有し、この半径方向の端部は初期分離運動時に前記形成部上をスライドする構成になっている。この蓋の他の形態において、蓋の周側壁は、ビード部が採用される場合よりも、通常、薄くてよい。
本発明の容器において、蓋の上部および周側壁は、その周側壁が溝へプレスされるときに僅かに楕円形を形成するような厚さに形成されてよく、それにより蓋と本体部との間の接触領域を小さくし、かつそれにより蓋と本体部との間の摩擦を小さくして蓋の本体部からの取り外しを促進する。
本発明の容器において、本体部の周側壁はそのベースから遠方の端部に内側へ傾斜した外面部を有していてよく、この場合、蓋の周側壁はその２端部間に傾斜部を有し、本体部の周側壁の内側へ傾斜した外面部と蓋の周側壁の傾斜部は、蓋の周側壁が前記溝へ完全に圧入されるときに、相互に係止し、かつ指圧を蓋の周側壁の溝へ加えると蓋が本体部上を連続的にスライドして離れて確実に解放される構成になっている。
本発明の容器において、蓋の上部は、容器が閉鎖されるときにそのベースから遠方の本体部の周側壁の端部の内面に隣接して位置決めされる傾斜ショルダ部を有し、この傾斜ショルダ部は本体部の周側壁の端部上にある容器内収容物を付勢して本体部へ戻す作用をするように構成されている。かかる装置は、取出し時にしばしば本体部の開放端部のまわりに集まる靴磨き剤等の容器収容物に特に有利であろう。
本体部のベースはプレーンな内面を有していてよい。特に靴磨き用の錫製の既知のディスク形容器では、通常、本体部のベースの内面上に溝が形成されており、靴磨き剤はその溝中に残る。使用者は溝から磨き剤の最後の残りを取り出すために容器を比較的長時間保持すると考えられる。プレーンな内面であれば、溝が存在する場合よりも早く容器の収容物を使い切るであろうと考えられる。当然ながら、所望により、本体部の底部のベースは溝付内面を有するものであってよい。
本発明において、本体部のベースはその外面内に単一の溝を有するのが好ましい。この溝は成形コアの使用を必要とすることなく成形材料の実質的均一分布を以た本体部の成形を可能にする。所望により、蓋は溝付外面を有していてよい。
好ましくは、本体部の周側壁の内面は少なくとも１つの周囲方向へ延在するリブを具有する。これは、容器収容物が乾燥または亀裂した場合であっても本体部内における容器収容物の保持を助ける。しかしながら、所望により、本体部の周側壁はプレーンまたは内面上に溝を付けたものであってよい。
本発明による蓋の周側壁は、容器を開けるためにプレスする蓋の周側壁位置を表示するための形成部を外面に有していてよい。この形成部は人が蓋を掴む指および親指を受けるための陥没を持った隆起部であってよい。
本発明の容器において、蓋および本体部の少なくとも一方は、容器を閉鎖するときに本体部の密封を阻止する形成部を有する。これは、それにより、例えば、金属製ディスク形容器が密封を阻止するために、通常、目（ｐｉｐ）または通気点が設けられた靴磨き剤の場合に伝統的であると同様に、容器収容物の通気を可能にする。この通気は靴磨き剤が溶剤である場合に望ましい。
本発明の容器において、本体部は内側へ傾斜した外面部と溝との間に位置決めされた蓋係合部を有し、蓋は隣接する本体部係合部を有し、かつ本体部上の蓋係合部および蓋上の本体部係合部の少なくとも一方は、容器が閉鎖されるときに本体部の密封を阻止するための形成部を具備する。この形成部は好ましくはチャンネルであるが、所望により刻みのごとき他のタイプの形成部であってよい。概ね、いずれかの適宜または適当な形成部が採用できる。
所望により、本発明の容器において、蓋は容器を閉鎖するときに本体部を密封するものであってよい。一般的に、蓋が本体部を完全に密封する構成にするか否かの決定は容器に保存される物質のタイプに依存するであろう。更に、本発明のディスク形容器はいずれかの適宜かつ適当な物質を収容でき、金属製の同様のディスク形容器に現在保存されている物質を含む。
本発明の容器は、通常、蓋および本体部が同一のプラスチック材料により形成されるであろう。しかし、所望により、異なるプラスチック材料が蓋および本体部に対して使用されてよい。蓋および本体部の両者に好適なプラスチック材料としてポリプロピレンがある。他のプラスチック材料が使用されてよい。
本発明の態様について例示として添付図面を参照して以下に説明する。
図１は開放状態の第１のディスク形容器の斜視図である。
図２は図１の容器の本体部の底面図である。
図３は図２の本体部の側面図である。
図４は図３の本体部の一部の拡大図である。
図５は図１の容器の蓋形成部の上面図である。
図６は図５の蓋の側面図である。
図７は図６の蓋の一部の拡大図である。
図８は図２の本体部上に図５の蓋を有する図１の容器の部分断面を含む側面図である。
図９は図８のディスク形容器の一部の拡大断面図である。
図１０は図７に示された矢印Ａ方向の図である。
図１１は第２のディスク形容器の本体部の上面図である。
図１２は図１１の円形内の部分拡大図である。
図１３は図１１の本体部の側面図である。
図１４は図１３の円形内の部分拡大図である。
図面を参照すると、ディスク形容器２は本体部４および本体部４上にプレス嵌めされる蓋６から成る。
本体部４はベース８、周側壁１０および周側壁１０の外面１４内の溝１２を有する。蓋６は上部１６および周側壁１８を有する。
容器２は、図８および９から最良に理解されるように、蓋６が本体部４の上になるときに、蓋６の周側壁１８が本体部４の周側壁１０上に重なるように構成される。本体部４および蓋６は、共にポリプロピレン等のプラスチック材料により形成され、かつ蓋６を滑り運動により本体部４から分離させるために、蓋６の周側壁１８が本体部４の周側壁１０の外面１４内の溝１２へ圧入できる厚さに形成される。
図９から最良に理解されるように、溝１２は一対の側部２０，２２により画定される。側部２０はベース８に最も近い溝１２の側部である。理解されるように、この側部２０は凹形側部２０である。この側部２０は蓋６の周側壁１８と係合しかつ蓋６の周側壁１８が溝１２へ圧入されるときに本体部４から蓋６を強制的に分離させる。
図９から最良に理解されるように、本体部４は凹形側部２０へ通じかつ本体部４からの蓋６の初期分離運動を促進する作用をする形成部２４を有する。図示されたように形成部２４は凸形成形部である。
蓋６の周側壁１８は初期分離運動時に形成部２４上を摺動するためのビード部２６を有する。ビード部２６は蓋６の周側壁１８の隣接部２８よりも厚い。本発明の他の態様において（図示されていない）、周側壁１８の隣接部２８は図９に図示されたものよりも厚く形成されてよく、この場合、ビード部２６は省略されて周側壁１８の湾曲端部により置換されてよい。
蓋６の上部１６および周側壁１８は、周側壁１８が溝１２へ圧入されるときに僅かに楕円形になるような厚みである。これは蓋６と本体部４との接触領域の縮小を可能にする。これは、順次、蓋６と本体部４との間の摩擦を減少し、それにより蓋６の本体部４からの除去を促進する。蓋６が本体部４から摺動分離するときに、蓋６と本体部４との接触領域が小さくなるに従って、蓋６は本体部４からより容易に移動する。容器２を開く人は蓋６が良好なコントロールにより移動するかのごとく感じる。一方の手による蓋６の周側壁１８上への簡単な圧搾、解放動作は他方の手中へ本体部４を落下させるに充分である。
本体部４の周側壁１０は内側へ傾斜した外面部３０を有する。図４および９を参照されたい。この外面部３０はベース８から離れた周側壁１０の端部にある。蓋６の周側壁１８はその端部間に傾斜部３２を有する。図７および９を参照されたい。本体部４の周側壁１０の外面部３０および蓋６の周側壁１８の傾斜部３２は、蓋６の周側壁１８が溝１２へ完全に圧入されたときに相互に対して係合する構成である。この外面部３０と傾斜部３２との係合は、蓋１６の周側壁１８を押圧する指圧を解除するときに蓋６が本体部６上を連続的に摺動して本体６から分離するのを確実にする。
蓋６の上部１６は図６および７に図示されたように傾斜ショルダ部３４を有する。この傾斜ショルダ部３４は、容器２が閉鎖されるときに、ベース８から遠方の本体部４の周側壁１０の端部の内面に隣接して位置決めされる。この傾斜ショルダ部３４は、本体部４の周側壁１０の端部上の容器２内のなんらかの収容物を強制的に本体部４内へ戻す作用をする。
図４から最良に理解されるように、本体部４のベース８はプレーンな内面３８を有する。本体部４のベース８は溝４０を含む溝付外面を有する。溝４０は製造面から重要である。なぜならば、この溝は、型抜きコアの使用を必要とすることなく、その隣接領域においてプラスチック材料を実質的均一厚に形成するからである。他の形態の溝が位置４１に形成される場合には、型抜きコアが必要であろうし、このことは本体部を形成するための成形費用を実質的に倍にするであろう。均一厚のプラスチック材料が必要であり、それにより成形時に均一冷却が達成される。余りにも不均一な冷却は、成形された本体部４を成形不良品に転化してしまう。
蓋６は中央凹域４２を有する。この凹域４２は所望により溝に形成されてよい。
本体部４の周側壁は図４に最良に示されたように周囲方向へ延在する２つのリブ４３を具有した内面４４を有する。リブ４３は、容器収容物が靴磨き剤または同様の物質であり、かつその収容物が硬化または亀裂を発生し、かつ本体部４から落下する虞れがある場合に、本体部４内におけるその収容物の保持を助ける。所望により、本発明の他の態様において（図示せず）、周側壁１０の内面４４はプレーンであってよい。
蓋６の周側壁１８は、容器２を開けるために蓋６の周側壁１８を押圧すべき場所を表示するための形成部（図示せず）をその外面４６上に有していてよい。この形成部は蓋６を圧搾する人の親指と他の指を受けるためにその中に陥没を持った隆起形成部であってよい。
蓋６および本体部４、またはそのいずれか一方は、容器２を閉鎖するときに本体部の密閉を阻止するための形成部（図示せず）を有していてよい。図９から理解されるように、本体部４は外面部３０と溝１２との間に位置決めされた蓋係合部４８を有する。蓋６は隣接する本体部係合部５０を有する。これらの係合部４８，５０のいずれか一方または両方は、容器２が閉鎖されるときに、本体部４の密閉を阻止するための形成部として働く隆起領域を有していてよい。この隆起領域の他の態様または補充として通気チャンネル５２を蓋６に設ける（図１０参照）、または他の適宜かつ適切な形態の形成部が採用されてよい。容器２の収容物が溶剤ベースの場合には蓋６が本体部４を密封するのを防止することが望ましい。密閉された場合には、溶剤は発散することなく気体溶剤を形成して蓋６を本体部４からポンと外してしまう。
容器２は靴または他の履物の磨き剤を含む。靴磨き剤は、既知金属製容器を充填する場合と同様に、６０°まで加熱されて、本体部へ充填されることができる。６０°の温度は、本体部４を成形するポリプロピレン等のプラスチック材料に不利な応力を加える程高い温度ではない。
本体部４および蓋６はプラスチック材料に対して望ましくない応力を最小限にするようにその成形を可能にする形状で製造される。望ましくない応力は、容器２の異なる部分が異なる比率で膨張または接触する場合に発生し易く、かつ本体部４および蓋６の図示形状はかかる不利益な応力を出来るかぎり最小限にすることが意図されている。
従来プラスチック容器のごとく、ホットフィードゲート（ｈｏｔ  ｆｅｅｄ  ｇａｔｅ）を蓋６の上部１６およびその容器の本体部４のベース８の外面上に採用する他の態様として、プラスチック材料は蓋６およびベース４の内側の領域から容器２の金型へ供給でき、フィードホールが閉鎖するときに形成される目（ｐｉｐ）は、通常、容器２が棚等の上に設置されるときに、見えないようにされる。更に、目は、通常、容器２の印刷が施されない部分にあってよい。これは、複数の容器２に対して複数の目の上へ印刷を繰り返すことは使用される印刷パッドまたはローラに悪影響を与え易いので好ましい。
図示容器２は５０ｍｌの靴磨き剤を収容するためのものである。この容器２はいずれの適宜および適当な寸法で形成されてよいが、通常は４０−１１０ｍｌの量を収容するように形成される。容器２を所望により図示例よりも大きくする場合には、ベース８の周側壁１０を細長くすることは簡単であり、また種々の上記設計の特徴が保持され得る。選択的にまたは更に、蓋６および本体部４の直径は、容器が人の手によって快適に開放できるところまで拡大することができる。容器２を閉鎖されているときに、確かな感覚で、迅速かつ簡単に開放するために、蓋６および本体部４は部分３６が蓋６の一部５７へ接触し、部４８，５０が相互に接触し、かつ部２４，２６が同様に相互に接触するように構成されなければならない。
図１１−１４を参照すると、他の態様の本体部４において、比較および理解を容易にするために、前出の図と同様の部は同一参照番号が付されている。図１１−１４において、図４に示された部５４は本体部４が６つの隆起部５６を有するように改変されている。これらの隆起部５６は蓋６および本体部４が容器２を閉鎖するときに合致する高い点として形成されている。隆起部５６の高さは、蓋６が本体部４上に余りに緊密にフィットしないようにするために初期成形生産時に簡単に低くされる。同様に、隆起部５６は蓋６と本体部４との間の摩擦を小さくして容易な開放を促進する。
添付図面を参照して説明した本発明の上記態様は単なる例示であり様々な改良が可能であることが評価されるべきである。従って、例えば、図示容器２は靴磨き剤を収容するものとして説明されたが、この容器はいずれの他の適宜かつ適当なタイプの流体物質をも収容してよい。通常、流体物質は半固体またはゲルの形態である。更に、容器２はポリプロピレン以外のプラスチック材料で形成されることができる。選択されるプラスチック材料は容器２の意図する内容物に対して化学的作用をしないものでなければならない。所望により、容器２または容器２の一部、例えば、ベース８は容器２の収容物が見えるように透明または半透明に形成できる。
【図１】
0003676366.tif 000002
【図２】
0003676366.tif 000003
【図３】
0003676366.tif 000004
【図４】
0003676366.tif 000005
【図５】
0003676366.tif 000006
【図６】
0003676366.tif 000007
【図７】
0003676366.tif 000008
【図８】
0003676366.tif 000009
【図９】
0003676366.tif 000010
【図１０】
0003676366.tif 000011
【図１１】
0003676366.tif 000012
【図１２】
0003676366.tif 000013
【図１３】
0003676366.tif 000014
【図１４】
0003676366.tif 000015